(57)【要約】【課題】ユーザのより詳細な行動を自動的に認識し、その認識結果からユーザの外出先での行動目的を推定する。【解決手段】ユーザの生体及び身体動作の生体・身体動作情報を周期的に取得し、前記生体・身体動作情報から一定以上の変動が生じる変動点を抽出し、前記抽出された変動点から次に判定される変動点までに取得されるユーザ情報を１パターン要素として情報パターン要素集合データベースに記録して保存し、予め起こり得る行動目的を行動目的データベースに登録しておき、予め前記行動目的ごとに起こり得る生体・身体動作情報の変動パターンを目的・変動パターンデータベースに登録しておき、前記情報パターン要素集合データベースに登録されるパターン要素について、前記目的・変動パターンデータベースを用いて生体・身体動作情報の変動パターンを抽出し、対応する行動目的を推定する。【選択図】図１
2014229200.tif 000002
【特許請求の範囲】
【請求項１】
ユーザの生体及び身体動作の生体・身体動作情報を周期的に取得する生体・身体動作情報取得部を備えるユーザ情報取得手段と、
前記生体・身体動作情報から一定以上の変動が生じる変動点を抽出する変動点判定手段と、
前記判定された変動点から次に判定される変動点までに前記ユーザ情報取得手段で取得されるユーザ情報を１パターン要素として記録し保存する情報パターン要素集合データベースと、
予め起こり得る行動目的を登録しておく行動目的データベースと、
予め前記行動目的ごとに起こり得る生体・身体動作情報の変動パターンを登録しておく目的・変動パターンデータベースと、
前記情報パターン要素集合データベースに登録されるパターン要素について、前記目的・変動パターンデータベースを用いて生体・身体動作情報の変動パターンを抽出し、対応する行動目的を推定する目的推定手段と
を具備する行動目的推定装置。
【請求項２】
前記ユーザ情報取得手段は、さらに前記ユーザの位置情報を前記身体動作の生体・身体動作情報と共に取得する位置情報取得部を備え、
前記情報パターン要素集合データベースは、前記ユーザ情報に前記位置情報取得部で得られる位置情報を加え、
前記行動目的データベースは、前記行動目的を位置ごとに登録しておくものとし、
前記目的推定手段は、前記位置情報に基づいて前記行動目的データベースを参照することで前記行動目的を推定する請求項１記載の行動目的推定装置。
【請求項３】
さらに、
前記ユーザそれぞれの属性情報を登録するユーザ属性登録手段と、
前記目的推定手段にて推定された行動目的及びその推定に用いられた位置情報と、予め前記ユーザ属性登録手段に登録されているユーザ属性情報とを記録する属性・目的登録手段と
を有する請求項２記載の行動目的推定装置。
【請求項４】
前記生体・身体動作情報パターン要素集合データベースに前記要素が重複して登録されているとき、
前記目的推定手段は、前記要素の時間と前記目的・変動パターンデータベースに登録されている時間から、時間の差分が小さい方の要素に基づいて処理する請求項１記載の行動目的推定装置。
【請求項５】
ユーザの生体及び身体動作の生体・身体動作情報を周期的に取得し、
前記生体・身体動作情報から一定以上の変動が生じる変動点を抽出し、
前記抽出された変動点から次に判定される変動点までに取得されるユーザ情報を１パターン要素として情報パターン要素集合データベースに記録して保存し、
予め起こり得る行動目的を行動目的データベースに登録しておき、
予め前記行動目的ごとに起こり得る生体・身体動作情報の変動パターンを目的・変動パターンデータベースに登録しておき、
前記情報パターン要素集合データベースに登録されるパターン要素について、前記目的・変動パターンデータベースを用いて生体・身体動作情報の変動パターンを抽出し、対応する行動目的を推定する行動目的推定方法。
【請求項６】
ユーザのより詳細な行動を自動的に認識し、その認識結果からユーザの外出先での行動目的を推定する処理をコンピュータに実行させる行動目的推定プログラムであって、
ユーザの生体及び身体動作の生体・身体動作情報を周期的に取得するステップと、
前記生体・身体動作情報から一定以上の変動が生じる変動点を抽出するステップと、
前記抽出された変動点から次に判定される変動点までに取得されるユーザ情報を１パターン要素として情報パターン要素集合データベースに記録して保存するステップと、
予め起こり得る行動目的を行動目的データベースに登録しておくステップと、
予め前記行動目的ごとに起こり得る生体・身体動作情報の変動パターンを目的・変動パターンデータベースに登録しておくステップと、
前記情報パターン要素集合データベースに登録されるパターン要素について、前記目的・変動パターンデータベースを用いて生体・身体動作情報の変動パターンを抽出し、対応する行動目的を推定するステップと
を備える行動目的推定プログラム。
【発明の詳細な説明】
【技術分野】
【０００１】
本発明は、ユーザの生体情報や身体動作からより詳細な行動を自動的に認識し、その認識結果に基づいてユーザの行動目的を推定する行動目的推定装置、行動目的推定方法及び行動目的推定プログラムに関する。
【背景技術】
【０００２】
我々は、外出先において、休憩するにはどこのお店がいいか、ウィンドウショッピングではどこが楽しいか、適当に時間を潰すのに適した場所はどこか、といったように様々な目的が生まれ、その目的を満たすための場所を探すことがある。また、初めて訪れる場所に対して、どこに行けばよいのか迷うことは多々ある。また、自分と同年代の人や趣味が同じ人は、どこで、どのように楽しんでいるかを知りたいことがある。
【０００３】
このように、自分と同じ目的を持つ人、さらに、自分と同じ年代の人々がどこでどのように過ごしているか、というように、ユーザ属性ごとに、訪問地に対する訪問の目的、つまり、場所での過ごし方を推定できれば、上記のような場面に対して行動の支援を行うことができる。
【０００４】
ところで、ＧＰＳ（Global Positioning System）や無線ＬＡＮ（Local Area Network：Wi-Fi（Wireless Fidelity）等）チップが搭載された携帯電話やスマートフォンなどの普及によって、ユーザの位置情報に関する測位データの取得は非常に容易になった。それに伴い、ユーザの位置情報に適したお勧めスポットやレストラン等の情報を提示する研究（非特許文献１，２参照）が進められ、そのサービスが増加している。しかしながら、これらの研究、サービスでは、店のジャンルや店に関する概要に限られている。また、位置情報のみでは、ユーザの滞留地が明らかでも、その場所でどのように過ごしているかなどの、ユーザの詳細な行動まで把握することができない。
【０００５】
また、近年では、いわゆるおサイフ携帯やＮＦＣ（Near Field Communication）端末によって、購買履歴とユーザ属性を基に、ユーザの興味や関心に沿う情報を提供する試みも行われている。しかしながら、これらのサービスでは、購買行動を対象としており、購買をしていない顧客の状況までは把握できない。但し、購買行動をしなくても、商品には興味を持って眺めている顧客もいる。また、商品には興味ないが、飲食店を気に入っていて、よく友人と過ごしに来る顧客や１人で行くことを好んでいく顧客もいる。
【先行技術文献】
【非特許文献】
【０００６】
【非特許文献１】Y Mark van Setten, Stanislav Pokraev and Johan Koolwaaij: Context-Aware Recommendations in the Mobile Tourist Application COMPASS, Adaptive Hypermedia and Adaptive Web-Based Systems, Lecture Notes in Computer Science, Vol.LNCS 3137, pp.235-244 (2004).
【非特許文献２】Kenta Oku and Fumio Hattori: Basic Study on a Recommendation Method Considering Region-restrictedness of Spots, DASFAA 2010, International Workshop: NMW,LNCS,Vol.6193, pp.353-364, 2010.
【発明の概要】
【発明が解決しようとする課題】
【０００７】
以上述べたように、ユーザが外出先で有意義な時間を過ごせるように、ユーザ属性ごとに、外出先に対する行動目的、つまり、場所での過ごし方を推定してユーザの行動支援を行うサービスの提供が注目されつつある。
この発明は上記事情に着目してなされたもので、ユーザのより詳細な行動を自動的に認識し、その認識結果からユーザの外出先での行動目的を推定することができ、これによって、推定された行動目的と位置情報及びユーザ属性から、ユーザの属性と目的に適した場所を推薦することに利用することのできる行動目的推定装置、行動目的推定方法及び行動目的推定プログラムを提供することを目的とする。
【課題を解決するための手段】
【０００８】
上記目的を達成するためにこの発明の第１の観点における行動目標推定装置は、以下のような構成要素を備えている。
（１）ユーザの生体及び身体動作の生体・身体動作情報を周期的に取得する生体・身体動作情報取得部を備えるユーザ情報取得手段と、前記生体・身体動作情報から一定以上の変動が生じる変動点を抽出する変動点判定手段と、前記判定された変動点から次に判定される変動点までに前記ユーザ情報取得手段で取得されるユーザ情報を１パターン要素として記録し保存する情報パターン要素集合データベースと、予め起こり得る行動目的を登録しておく行動目的データベースと、予め前記行動目的ごとに起こり得る生体・身体動作情報の変動パターンを登録しておく目的・変動パターンデータベースと、前記情報パターン要素集合データベースに登録されるパターン要素について、前記目的・変動パターンデータベースを用いて生体・身体動作情報の変動パターンを抽出し、対応する行動目的を推定する目的推定手段とを具備するものとする。
【０００９】
（２）（１）において、前記ユーザ情報取得手段は、さらに前記ユーザの位置情報を前記身体動作の生体・身体動作情報と共に取得する位置情報取得部を備え、前記情報パターン要素集合データベースは、前記ユーザ情報に前記位置情報取得部で得られる位置情報を加え、前記行動目的データベースは、前記行動目的を位置ごとに登録しておくものとし、前記目的推定手段は、前記位置情報に基づいて前記行動目的データベースを参照することで前記行動目的を推定する。
【００１０】
（３）（２）において、さらに、前記ユーザそれぞれの属性情報を登録するユーザ属性登録手段と、前記目的推定手段にて推定された行動目的及びその推定に用いられた位置情報と、予め前記ユーザ属性登録手段に登録されているユーザ属性情報とを記録する属性・目的登録手段とを有する。
【００１１】
（４）（１）において、作情報パターン要素集合データベースに前記要素が重複して登録されているとき、前記目的推定手段は、前記要素の時間と前記目的・変動パターンデータベースに登録されている時間から、時間の差分が小さい方の要素に基づいて処理するものとする。
【００１２】
また、上記目的を達成するためにこの発明の第２の観点における行動目的推定方法は、以下のような構成要素を備えている。
（５）ユーザの生体及び身体動作の生体・身体動作情報を周期的に取得し、前記生体・身体動作情報から一定以上の変動が生じる変動点を抽出し、前記抽出された変動点から次に判定される変動点までに取得されるユーザ情報を１パターン要素として情報パターン要素集合データベースに記録して保存し、予め起こり得る行動目的を行動目的データベースに登録しておき、予め前記行動目的ごとに起こり得る生体・身体動作情報の変動パターンを目的・変動パターンデータベースに登録しておき、前記情報パターン要素集合データベースに登録されるパターン要素について、前記目的・変動パターンデータベースを用いて生体・身体動作情報の変動パターンを抽出し、対応する行動目的を推定するものとする。
【００１３】
また、上記目的を達成するためにこの発明の第３の観点における行動目的推定プログラムは、以下のような構成要素を備えている。
（６）ユーザのより詳細な行動を自動的に認識し、その認識結果からユーザの外出先での行動目的を推定する処理をコンピュータに実行させる行動目的推定プログラムであって、ユーザの生体及び身体動作の生体・身体動作情報を周期的に取得するステップと、前記生体・身体動作情報から一定以上の変動が生じる変動点を抽出するステップと、前記抽出された変動点から次に判定される変動点までに取得されるユーザ情報を１パターン要素として情報パターン要素集合データベースに記録して保存するステップと、予め起こり得る行動目的を行動目的データベースに登録しておくステップと、予め前記行動目的ごとに起こり得る生体・身体動作情報の変動パターンを目的・変動パターンデータベースに登録しておくステップと、前記情報パターン要素集合データベースに登録されるパターン要素について、前記目的・変動パターンデータベースを用いて生体・身体動作情報の変動パターンを抽出し、対応する行動目的を推定するステップとを備えるものとする。
【発明の効果】
【００１４】
以上のように、本発明は、（１）身体情報の時間的変動点を区切りとした各区間内での身体情報の特徴を抽出して、区間の長さとともにパターン要素として記録し、記録されたものの時間的並びを、予め行動目的に対応付けられたパターンと照合することで、身体情報からユーザの行動目的を推定する。また、（２）ユーザの位置情報を併用し、その位置情報から照合するパターン数を限定することで推定の精度を向上させる。これにより、推定された行動目的と位置情報及びユーザ属性から、ユーザの属性と目的に適した場所を推薦する用途に利用可能となる。
【００１５】
したがってこの発明によれば、ユーザのより詳細な行動を自動的に認識し、その認識結果からユーザの外出先での行動目的を推定することができ、これによって、推定された行動目的と位置情報及びユーザ属性から、ユーザの属性と目的に適した場所を推薦することに利用する可能な行動目的推定装置、行動目的推定方法及び行動目的推定プログラムを提供することができる。
【図面の簡単な説明】
【００１６】
【図１】本発明の一実施形態に係る行動目的推定装置の構成を示すブロック図である。
【図２】上記実施形態の生体・身体動作情報変更点判定部の判定処理の流れを示すフローチャートである。
【図３】上記実施形態の生体・身体動作情報パターン要素集合データベースへの登録処理の流れを示すフローチャートである。
【図４】上記実施形態の生体・身体動作情報パターン要素集合データベースの例を示す図である。
【図５】上記実施形態の位置・目的データベースの例を示す図である。
【図６】上記実施形態の目的・変動パターンデータベースの例を示す図である。
【図７】上記実施形態の目的推定部の処理の流れを示すフローチャートである。
【図８】上記実施形態の目的推定部において、要素が重複された複数パターンを含む場合の例を示す図である。
【発明を実施するための形態】
【００１７】
以下、図面を参照してこの発明に係わる実施形態を説明する。  
図１は、本発明の一実施形態に係る行動目的推定装置の構成を示すブロック図である。図１において、ユーザ初期情報入力部１１は、ユーザの性別や年齢、趣味などを登録するユーザ属性登録部１１１と、ユーザごとの生体情報の基準値を登録する初期情報登録部１１２から構成される。入力は、ＰＣ（Personal Computer）や携帯端末など、ネットワークに介されたデバイスのいずれでもよい。
【００１８】
ユーザ情報取得部１２は、ユーザが持ち歩き可能な端末を用いて、心拍や皮膚電気活動や体温などの生体情報を取得する生体情報取得部１２１と、加速度センサやジャイロセンサなどによって身体の動作情報を取得する身体動作情報取得部１２２と、ユーザの現在の位置を測位する位置情報取得部１２３によって構成される。なお、身体動作情報取得部１２２においては、ユーザが滞在する場所にカメラを設置して撮影した画像でもよい。
【００１９】
生体・身体動作情報変動点判定部１３は、ｓ秒おきに生体情報及び身体動作情報の平均値や分散値などを算出し、生体情報及び身体動作情報のいずれか１つ以上が閾値以上変動したときに、変動点として判定する。
生体・身体動作情報パターン要素集合データベース（ＤＢ）１４は、上記生体・身体動作情報変動点判定部１３にて判定された変動点の２点間を１要素として、その２点間における生体・身体動作情報を、位置情報及び経過時間とともに記録保存する。なお、位置情報においては、２点間で変移した位置の中心部を算出するなどによって少ない点で表してもよいものとする。
【００２０】
データベース部１５は、位置・目的データベース１５１、目的・変動パターンデータベース１５２及び属性・目的登録部１５３を備える。  
位置・目的データベース１５１には、位置ごとに起こり得る行動目的を予め登録しておく。  
目的・変動パターンデータベース１５２には、行動目的ごとに、目的遂行時に生じる生体情報及び身体動作情報の変動パターンを予め登録しておく。また、パターンを構成する１要素ごとに、変動に要する時間の範囲を登録しておく。
【００２１】
属性・目的登録部１５３は、目的推定部１６から出力される行動目的と、目的推定部１６において参照された位置情報と、ユーザ属性登録部１１１にユーザ属性を記録して保存する。
目的推定部１６は、生体・身体動作情報パターン要素集合データベース１４に対して、位置・目的データベース１５１及び目的・変動パターンデータベース１５２を参照して、変動パターンに対応する目的の判定を行い、判定された目的を出力する。
【００２２】
上記構成による目的推定装置において、以下にその処理動作を説明する。ここでは、動作ごとの生体情報の変化の例として、１分あたりの平均心拍数を１秒ごとに算出した場合を検討する。
具体的に、本屋で立ち読みをしながら本を探している時の心拍数を計測したところ、以下のような結果が得られた。  
ゆっくり歩行：平均98.76回  
立ち読み状態：平均78.81回  
このように、本屋では、立ち読みとゆっくりな歩行を繰り返しているが、立ち読み時とゆっくりな歩行時の平均心拍数や分散値は異なることがわかる。
【００２３】
一方、カフェにて１人で食事をしたときの心拍数を計測してみると、以下のような結果が得られた。  
着席（食前）：平均86.30回  
食事中    ：平均105.75回  
着席（食後）：平均85.92回  
このように、着席し、注文をして料理が来るまでの心拍数と、食事を開始してからの心拍数が大きく変わることが分かる。
【００２４】
この実施形態では、例として、行動ごとによって心拍情報が変化することと、行動のパターンが目的に応じて類似している点に着目して、心拍変動のパターンからユーザの目的を推定する場合について説明する。
まず、図２に示すフローチャートを参照して、変動点判定部１３の判定処理の流れを説明する。
【００２５】
図２において、変動点判定部１３は、ｓ秒ごとにユーザ情報取得部１２から生体・身体動作情報（心拍・位置）を取得し（ステップＳ１１，Ｓ１２）、ｓ秒間の生体・身体動作情報の平均値・分散値等を算出する（ステップＳ１３）。この算出処理回数（ｉ）が初めて(i==1)か否かを判断し（ステップＳ１４）、初めての場合には、生体・身体動作情報パターン要素集合データベース１４へｉ番目の要素として登録した後（ステップＳ１５）、次の要素集合（ｉ++）の取得のためにステップＳ１１に戻る（ステップＳ１７）。
【００２６】
ステップＳ１４の判断において、算出処理回数（ｉ）が初めてでなかった場合には、算出値が要素周波数のｉ−１番目から閾値以上変化しているかを判断する（ステップＳ１６）。この判断で、閾値以上変化した場合には、ステップＳ１５に移行して要素ｉの変動点として登録する。閾値以上の変化でなかった場合には、パターン要素集合の登録は行わずに、次の要素集合の取得に移行する。
【００２７】
次に、図３に示すフローチャート及び図４に示す登録例を参照して、生体・身体動作情報パターン要素集合データベース１４への登録処理の流れを説明する。
図３において、生体・身体動作情報パターン要素集合データベース１４では、ユーザ情報取得部１２から生体・身体動作情報（心拍・位置）を取得すると（ステップＳ２１）、変動点を順次判定し（ステップＳ２２，Ｓ２３）、変動点が判定された場合には、生体・身体動作情報パターン要素集合データベース１４へ登録し（ステップＳ２４）、ステップＳ２１に戻って次の生体・身体動作情報の変動点登録処理に移行する。  
図２及び図３に示す処理により、例として、図４に示すように、ユーザのs秒ごとの位置情報及び心拍情報を取得しデータベース１３に登録された場合の目的を推定する場合を説明する。
【００２８】
位置・目的データベース１５１には、予め位置ごとに起こり得る目的が登録されている。ここで、位置を（lat, long）とした時、（lat, long）を中心とした半径ｘメートル以内に含まれる位置で、起こり得る目的を登録するものとする。位置・目的データベース１５１の例を図５に示す。図５では、位置・目的データベース１５１において、位置Ａ，Ｂ，Ｃそれぞれにおけるユーザがとり得る目的が複数種登録されている。
【００２９】
目的・変動パターンデータベース１５２には、予め、目的ごとに、目的遂行時に生じる生体情報及び身体動作情報の変動パターンが登録されている。また、パターンを構成する１要素ごとに、変動に要する時間の範囲が登録されている。目的・変動パターンデータベース１５２の例を図６に示す。図６において、（ａ）は、目的が買い物である場合の生体・身体動作と時間範囲、（ｂ）は目的が一人で食事する場合の生体・身体動作と時間範囲を示している。
【００３０】
目的推定部１６は、生体・身体動作情報パターン要素集合データベース１４に対して、位置・目的データベース１５１及び目的・変動パターンデータベース１５２を参照して、変動パターンに対応する目的の判定を行い、判定された目的を出力する。
具体的には、図７に示す処理が実行される。  
まず、生体・身体動作情報パターン要素集合のi番目からi+(N-1)番目までの要素を抽出し（ステップＳ３１）、その要素に含まれる位置情報から、位置・目的データベース１５１を参照して対応する目的を取得する（ステップＳ３２）。参照された目的から目的・変動パターンデータベース１５２の生体・身体動作情報の変動パターンを特定し（ステップＳ３３）、特定された変動パターンをもとにN個の要素内に変動パターンが含まれているかの判定を行う（ステップＳ３４）。判定された場合、目的・変動パターンデータベース１５２を参照して目的を出力する（ステップＳ３５）。この処理を、１要素ずつ窓幅Nを動かしながら全要素に対して行う（ステップＳ３６）。
【００３１】
ここで、図８に示すように、生体・身体動作情報パターン要素集合内に、要素を重複してパターンＡとパターンＢが含まれている場合がある。この場合を考慮して、各要素の時間と、目的・変動パターンデータベース１５２に登録されている時間から、時間の差分が小さい方のパターンを出力する。
【００３２】
例えば、生体・身体動作情報パターン要素集合の各要素の時間をT1,T2,…TNとして、要素(1) から要素(6) までの変動パターンが(1),(2),(3),(3),(2),(1)だったとする。ここで、目的・変動パターンデータベース１５２に登録されている、目的Ａの生体・身体動作情報の変動パターンが(1),(2),(3)、各要素の時間がt1,t2,t3、目的Ｂの変動パターンが(3),(3),(2)、各要素の時間がt1’,t2’,t3’だったとすると、生体・身体動作情報パターン要素集合内に、要素が重複してしまい、２通りのパターンが登録された可能性が考えられる。このとき、T1,T2,T3とt1,t2,t3，T3,T4,T5とt1’,t2’,t3’の差分を算出し、誤差が小さい方を変動パターンとして、その変動パターンに対応する目的を抽出し出力する。
【００３３】
すなわち、図７に示す目的推定処理において、ステップＳ３４における変動パターンの判定処理後、要素を重複してパターンを含むか判定し（ステップＳ３７）、重複するパターンを含む場合には、時間による変動パターンを判定して（ステップＳ３８）、ステップＳ３５の処理に移行し、時間の変動パターンに対応する行動目的を推定出力する。
【００３４】
以上のように、上記実施形態では、行動の種類によって生体情報や身体動作情報が異なるという人間の性質と、１つの目的達成への行動が複数の行動から構成され、構成された行動のパターン（例：歩く→座る→食べる→立つ→歩く）が、目的ごとに類似していることを利用しているので、生体情報や身体動作情報の変動パターンから目的を推定することが可能となる。
【００３５】
また、場所ごとに対して、頻出する目的を予め登録しておき、目的ごとに対して、目的遂行時に現れる生体情報や身体動作情報の変動パターンを予め登録するようにしているので、ユーザに特別な入力操作を要せずに目的を推定することが可能となる。
さらに、推定された目的と、位置情報と、ユーザの属性を統合して記録するようにしているので、ある場所にどのような属性がどのような目的を持って訪問しているかという情報をも提供することが可能となる。
【００３６】
したがって上記実施形態の目的推定装置によれば、ユーザのより詳細な行動を自動的に認識し、その認識結果からユーザの外出先での行動目的を推定することができ、これによって、推定された行動目的と位置情報及びユーザ属性から、ユーザの属性と目的に適した場所を推薦することが可能となる。
【００３７】
なお、この発明は、上記実施形態そのままに限定されるものではなく、実施段階ではその要旨を逸脱しない範囲で構成要素を変形して具体化できる。例えば、上記実施形態では、行動ごとの心拍変動のパターンに基づく処理について説明したが、他の行動・生体情報・身体情報のパターンについても同様に実施可能である。
【００３８】
また、上記実施形態では、図２、図３、図７に示すフローチャートにて、それぞれの処理方法について説明したが、これらの方法は、コンピュータに実行させるためのプログラムで実現可能である。すなわち、この発明の係る行動目的推定プログラムをコンピュータにロードさせ、ユーザ情報を取り込ませることで、上記実施形態の処理を実行させることができる。
【００３９】
また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１１…ユーザ初期情報入力部、
１１１…ユーザ属性登録部、
１１２…初期情報登録部、
１２…ユーザ情報取得部、
１２１…生体情報取得部、
１２２…身体動作情報取得部、
１２３…位置情報取得部、
１３…生体・身体動作情報変動点判定部、
１４…生体・身体動作情報パターン要素集合データベース（ＤＢ）、
１５…データベース部、
１５１…位置・目的データベース、
１５２…目的・変動パターンデータベース、
１５３…属性・目的登録部、
１６…目的推定部。
【図１】
2014229200.tif 000003
【図２】
2014229200.tif 000004
【図３】
2014229200.tif 000005
【図４】
2014229200.tif 000006
【図５】
2014229200.tif 000007
【図６】
2014229200.tif 000008
【図７】
2014229200.tif 000009
【図８】
2014229200.tif 000010